(57)【要約】【課題】締め紐をマスク本体に取り付けた後からでも締め紐に取り付けることができ、締め紐の長さを調整する際に締め紐が第１、第２の係止スリットから抜け出にくくなるマスクの締め紐長さ調整具を提供する。【解決手段】板状の本体部３２を備え、この本体部３２に、導入スリット３４の両端から同一方向へ第１の係止スリット３５、第２の係止スリット３６が延びたコ字状スリット３３と、第１の係止スリット３５の先端に連通する第１の端部収容孔３７と、第２の係止スリット３６の先端に連通する第２の端部収容孔４１とを設ける。【選択図】図１
2012016516.tif 000002
【特許請求の範囲】
【請求項１】
板状の本体部を備え、
該本体部に、
導入スリットの両端から同一方向へ第１の係止スリット、第２の係止スリットが延びたコ字状スリットと、
前記第１の係止スリットの先端に連通する第１の端部収容孔と、
前記第２の係止スリットの先端に連通する第２の端部収容孔とを設けた、
ことを特徴とするマスクの締め紐長さ調整具。
【請求項２】
請求項１に記載のマスクの締め紐長さ調整具において、
前記第１の係止スリットと前記第２の係止スリットとは、前記導入スリットから離れる方向へ窄んでいる、
ことを特徴とするマスクの締め紐長さ調整具。
【請求項３】
請求項１または請求項２に記載のマスクの締め紐長さ調整具において、
前記導入スリットと前記第１の係止スリットとの接続部分に、内側から外側へ突出する第１の抜け防止部を設け、
前記導入スリットと前記第２の係止スリットとの接続部分に、内側から外側へ突出する第２の抜け防止部を設けた、
ことを特徴とするマスクの締め紐長さ調整具。
【請求項４】
請求項１から請求項３のいずれか１項に記載のマスクの締め紐長さ調整具において、
前記本体部に一体的に設けたフック部を備え、
該フック部は、前記導入スリットに対して前記第１の係止スリットおよび前記第２の係止スリットから離れる方向へＪ字状に延びたフック片を備えている、
ことを特徴とするマスクの締め紐長さ調整具。
【請求項５】
請求項４に記載のマスクの締め紐長さ調整具において、
前記フック部は、前記導入スリットに対して前記第１の係止スリットおよび前記第２の係止スリットから離れる方向へ延び、前記フック片の開放部分を閉塞する突出片を備えている、
ことを特徴とするマスクの締め紐長さ調整具。
【請求項６】
請求項１から請求項５のいずれか１項に記載のマスクの締め紐長さ調整具を用いた、
ことを特徴とするマスク。
【発明の詳細な説明】
【技術分野】
【０００１】
この発明は、塵埃の多い場所、例えば、工事現場などで作業中に、塵埃を吸い込むのを防止する防塵マスク、および、その防塵マスクにおける締め紐の長さを調整するマスクの締め紐長さ調整具に関するものである。
【背景技術】
【０００２】
上記した従来のマスクの一例として、クリップ（締め紐長さ調整具）に設けたΣ形状の連結スリットから、この連結スリットの両端に設けた装着スリットへストラップ（締め紐）を移動させて装着スリットにストラップを挟み込み、装着スリットに挟み込むストラップの位置を調整することにより、ストラップの長さを調整するものが提案されている（例えば、特許文献１参照）。
【０００３】
このマスクにおけるクリップは、プレートを成形する際、連結スリットと２つの装着スリットとを設けることによって形成できる構造（形状）なので、部品代を抑えることができる。
そして、連結スリットから２つの装着スリットへストラップを移動させて２つの装着スリットによってストラップを挟み込む（係止する）構成（構造）なので、クリップへのストラップの挿通（取付）が行い易い。
【先行技術文献】
【特許文献】
【０００４】
【特許文献１】特開２００５−１５２２２９号公報
【発明の概要】
【発明が解決しようとする課題】
【０００５】
上記した特許文献１に記載されているマスクにおけるクリップ（締め紐長さ調整具）は、２つの装着スリットを連結する連結スリットが設けられている。
したがって、ストラップをマスク本体に溶着などによって取り付けた後においても、クリップをストラップに取り付けることができる。
【０００６】
しかしながら、特許文献１に記載されているクリップは、２つの装着スリットの幅が一様であるので、ストラップの長さを調整するためにストラップを引っ張ると、ストラップを引っ張る方向によっては、ストラップが装着スリットから連絡スリットへと抜け出る可能性がある。
したがって、マスクの使用中にストラップの長さを調整した場合、マスクが顔面から外れる可能性がある。
【０００７】
この発明は、上記した不都合を解消するためになされたもので、締め紐をマスク本体に取り付けた後からでも締め紐に取り付けることができ、締め紐の長さを調整する際に締め紐が第１、第２の係止スリットから抜け出にくくなるマスクの締め紐長さ調整具、および、これを用いたマスクを提供するものである。
【課題を解決するための手段】
【０００８】
この発明の、マスクの締め紐長さ調整具は、板状の本体部を備え、該本体部に、導入スリットの両端から同一方向へ第１の係止スリット、第２の係止スリットが延びた略コ字状スリットと、前記第１の係止スリットの先端に連通する第１の端部収容孔と、前記第２の係止スリットの先端に連通する第２の端部収容孔とを設けたことを特徴とする。
【０００９】
また、この発明のマスクは、上記したマスクの締め紐長さ調整具を用いたことを特徴とする。
【発明の効果】
【００１０】
この発明のマスクの締め紐長さ調整具によれば、導入スリットと第１、第２の係止スリットとが連通しているので、締め紐をマスク本体に取り付けた後からでも、マスクの締め紐長さ調整具を締め紐に取り付けることができる。
そして、第１の係止スリットの先端に第１の端部収容孔が設けられ、第２の係止スリットの先端に第２の端部収容孔が設けられているので、締め紐の幅方向の一方の端部が第１、第２の端部収容孔内で丸まり、第１、第２の端部収容孔内に係止される。
したがって、締め紐の長さを調整する際、締め紐を引っ張っても、締め紐が第１、第２の係止スリットから抜け出にくくなる。
【図面の簡単な説明】
【００１１】
【図１】この発明の、マスクの締め紐長さ調整具の第１実施例を示す斜視図である。
【図２】（ａ）は図１に示したマスクの締め紐長さ調整具の正面図、（ｂ）は図２（ａ）のＢ−Ｂ線による断面図、（ｃ）は図１に示したマスクの締め紐長さ調整具の平面図である。
【図３】この発明のマスクの第１実施例を示す正面図である。
【図４】図３に示したマスクの使用例を示す説明図である。
【図５】図１および図２に示したマスクの締め紐長さ調整具の、締め紐への取付例を示す説明図である。
【図６】この発明のマスクの第２実施例を示す正面図である。
【図７】図６に示したマスクの使用例を示す説明図である。
【図８】この発明のマスクの第３実施例を示す正面図である。
【図９】図８に示したマスクの使用例を示す説明図である。
【図１０】この発明のマスクの第４実施例を示す正面図である。
【図１１】図１０に示したマスクの使用例を示す説明図である。
【図１２】この発明のマスクの第５実施例を示す正面図である。
【図１３】図１２に示したマスクの使用例を示す説明図である。
【図１４】この発明の、マスクの締め紐長さ調整具の第２実施例を示す斜視図である。
【図１５】この発明の、マスクの締め紐長さ調整具の第３実施例を示す斜視図である。
【図１６】この発明の、マスクの締め紐長さ調整具の第４実施例を示す分解斜視図である。
【図１７】（ａ）は図１６に示した第１のマスクの締め紐長さ調整具の正面図、（ｂ）は図１７（ａ）のＢ−Ｂ線による断面図、（ｃ）は図１６に示した第１のマスクの締め紐長さ調整具の平面図である。
【図１８】（ａ）は図１６に示した第２のマスクの締め紐長さ調整具の正面図、（ｂ）は図１８（ａ）のＢ−Ｂ線による断面図、（ｃ）は図１６に示した第２のマスクの締め紐長さ調整具の平面図である。
【図１９】図１６に示した第１、第２のマスクの締め紐長さ調整具を結合させた状態の斜視図である。
【発明を実施するための形態】
【００１２】
以下、この発明の実施例を、図面を参照して説明する。
【００１３】
図１はこの発明の、マスクの締め紐長さ調整具（以下、単に“締め紐長さ調整具”と記述する）の第１実施例を示す斜視図、図２（ａ）は図１に示した締め紐長さ調整具の正面図、図２（ｂ）は図２（ａ）のＢ−Ｂ線による断面図、図２（ｃ）は図１に示した締め紐長さ調整具の平面図である。
【００１４】
この発明の第１実施例の締め紐長さ調整具３１は、装着者がマスクを装着するときに使用する締め紐の長さを調整するもので、所定の強度を有するプラスチック（樹脂）、例えば、ポリプロピレンで、正面視縦長の略長方形形状をした板状に成形された本体部３２と、この本体部３２の上側に、本体部３２と一体的に板状に成形されたフック部５１とによって構成されている。
なお、本体部３２は、長方形形状だけでなく、楕円形形状や円形形状であってもよい。
【００１５】
この本体部３２には、コ字状スリット３３、第１の端部収容孔３７、第１の係止凹部３８、第１の抜け防止部３９、第１の円弧状突出部４０、第２の端部収容孔４１、第２の係止凹部４２、第２の抜け防止部４３、第２の円弧状突出部４４などが設けられている。
【００１６】
上記したコ字状スリット３３は、横方向（図２（ａ）における左右方向）へ延び、下側が上側へ曲率の大きな円弧状に突出するとともに、上側が上側へ曲率の小さな円弧状に突出した、すなわち、中央の幅が左右の幅よりも広い円弧状の導入スリット３４と、この導入スリット３４の一端（例えば、左端）から下側へ延びた第１の係止スリット３５と、導入スリット３４の他端（右端）から下側へ、第１の係止スリット３５と同じ長さで延びた第２の係止スリット３６とで構成されている。
【００１７】
上記した導入スリット３４は、二重（２つ）折りにした締め紐を挿入できる長さ、幅とした大きさで設けられている。
【００１８】
上記した第１の係止スリット３５および第２の係止スリット３６の幅（図２（ａ）における左右方向）は、弾性変形可能な締め紐を引っ張って厚さを薄くした状態にすると、締め紐を移動（通過）させることができ、締め紐を引っ張るのを解除して厚くした状態にすると、締め紐を移動（通過）させことができなくなる間隔とされている。
さらに、締め紐長さ調整具３１自体にも弾性があるので、締め紐長さ調整具３１の若干の変形が、締め紐を移動させやすくするように作用する。
なお、第１の係止スリット３５と第２の係止スリット３６とは、導入スリット３４から離れる方向（図２（ａ）の下側）へ、例えば、１０度〜２０度の角度で、好ましくは１４度の角度で窄んでいる。
【００１９】
そして、第１の係止スリット３５の先端（図２（ａ）における下端）には、締め紐の端部を収容する第１の端部収容孔３７が設けられている。
また、第２の係止スリット３６の先端（図２（ａ）における下端）には、締め紐の端部を収容する第２の端部収容孔４１が設けられている。
この第１、第２の端部収容孔３７，４１は、第１、第２の係止スリット３５，３６の幅（図２（ａ）における左右方向）よりも大きな直径、例えば、第１、第２の係止スリット３５，３６の幅の、約３倍〜５倍の直径の孔、好ましくは約４倍の直径の孔とされている。
【００２０】
上記した第１の係止凹部３８は、導入スリット３４と第１の係止スリット３５との接続部分の内側に、すなわち、第２の係止スリット３６側に設けられた半円状の孔によって構成され、締め紐が第１の係止スリット３５から導入スリット３４へと抜け出るのを防止するものである。
上記した第２の係止凹部４２は、導入スリット３４と第２の係止スリット３６との接続部分の内側に、すなわち、第１の係止スリット３５側に設けられた半円状の孔によって構成され、締め紐が第２の係止スリット３６から導入スリット３４へと抜け出るのを防止するものである。
この第１、第２の係止凹部３８，４２は、第１、第２の係止スリット３５，３６の幅（図２（ａ）における左右方向）よりも大きな直径、例えば、第１、第２の係止スリット３５，３６の幅の、約１．５倍〜３倍の直径の孔、好ましくは約２．５倍の直径の孔とされている。
【００２１】
そして、導入スリット３４と第１の係止スリット３５との接続部分の内側に、すなわち、第２の係止スリット３６側に所定の曲率で外側へ突出する突起が第１の抜け防止部３９として設けられている。
また、導入スリット３４と第２の係止スリット３６との接続部分の内側に、すなわち、第１の係止スリット３５側に所定の曲率で外側へ突出する突起が第２の抜け防止部４３として設けられている。
【００２２】
そして、導入スリット３４と第１の係止スリット３５との接続部分の外側に、所定の曲率で外側へ突出する第１の円弧状突出部４０が設けられている。
また、導入スリット３４と第２の係止スリット３６との接続部分の外側に、所定の曲率で外側へ突出する第２の円弧状突出部４４が設けられている。
【００２３】
上記した本体部３２は、成形時のひけや、補強を兼ねるとともに、成形材料を少なくするため、両主表面に肉抜き部が設けられるように、両主表面の周縁に環状の外周補強リブ４５が設けられるとともに、両主表面のコ字状スリット３３、第１、第２の端部収容孔３７，４１、第１、第２の係止凹部３８，４２および第１、第２の抜け防止部３９，４３を囲む環状の内周補強リブ４６が設けられている。
【００２４】
なお、コ字状スリット３３で囲まれた部分が、舌片部４７を構成している。
【００２５】
上記したフック部５１は、導入スリット３４に対して第１の係止スリット３５および第２の係止スリット３６から離れる方向（図２（ａ）において上側）へＪ字状に延びたフック片５２で構成されている。
このフック片５２の先端の内側には、締め紐がフック片５２から抜け出るのを防止するために抜け止め突出部５３が設けられている。
そして、フック片５２の先端は、円弧状の丸みを持たせた形状とされている。
【００２６】
上記した締め紐長さ調整具３１を用いた（利用した、使用した）この発明のマスクの実施例を、図面を参照して説明する。
【００２７】
図３はこの発明のマスクの第１実施例を示す正面図、図４は図３に示したマスクの使用例を示す説明図、図５は図１および図２に示したマスクの締め紐長さ調整具の、締め紐への取付例を示す説明図であり、図１または図２と同一部分または相当部分に同一符号を付し、その説明を省略する。
なお、以下のマスクの説明における上下、左右は、マスクの装着者から見た上下、左右とする。
【００２８】
図３および図４に示すマスク（防塵マスク）１は、カップ状に形成されたマスク本体部１１と、このマスク本体部１１に取り付けられた左、右側締め紐２１Ｌ，２１Ｒと、右側締め紐２１Ｒに取り付けられた右側締め紐２１Ｒの長さを調整する締め紐長さ調整具３１とで構成されている。
【００２９】
上記したマスク本体部１１は、例えば、人の鼻、口を覆うように成形されたフィルタ部で構成されている。
このフィルタ部は、前面側を被う前面被い部分と、この前面被い部分の外周に設けられ、人の鼻、口の外周に当接する接顔布とで構成されているものもある。
そして、前面被い部分は、例えば、多層構造とされ、締め紐が溶着または接着できるように構成されている。
【００３０】
上記した左、右側締め紐２１Ｌ，２１Ｒは、弾性を有するゴムバンドなどで構成され、所定の長さと、所定の厚さと、所定の幅とを有している。
そして、左側締め紐２１Ｌは、マスク本体部１１の左端上側外面に一端（上端）が溶着などによって取り付けられ、マスク本体部１１の左端下側外面に他端（下端）が溶着などによって取り付けられている。
また、右側締め紐２１Ｒは、マスク本体部１１の右端上側外面に一端（上端）が溶着などによって取り付けられ、マスク本体部１１の右端下側外面に他端（下端）が溶着などによって取り付けられている。
【００３１】
次に、締め紐長さ調整具３１の右側締め紐２１Ｒへの取付の一例を、図５を参照して説明する。
【００３２】
まず、図５（ａ）に示すように、二重（２つ）折りにした右側締め紐２１Ｒを導入スリット３３内へ挿入する。
そして、２つ折にした右側締め紐２１Ｒを広げながら導入スリット３４の下側の縁に沿って移動させ、図５（ｂ）に示すように、右側締め紐２１Ｒを第１、第２の抜け防止部３９，４３の外側に位置させる。
【００３３】
この状態で、締め紐長さ調整具３１から上側に突出した右側締め紐２１Ｒを引っ張って右側締め紐２１Ｒの厚さを薄くし、右側締め紐２１Ｒを第１、第２の係止スリット３５，３６に沿って移動させ、図５（ｃ）に示すように、右側締め紐２１Ｒの幅方向の一方の端部を第１、第２の端部収容孔３７，４１内に位置させた状態で右側締め紐２１Ｒを引っ張る力を解除する。
【００３４】
このように、右側締め紐２１Ｒを第１、第２の係止スリット３５，３６に沿って移動させるとき、第１、第２の係止スリット３５，３６が先端側へ窄んでいるので、右側締め紐２１Ｒの第１、第２の端部収容孔３７，４１側への移動をスムーズ（容易）に行うことができる。
【００３５】
そして、右側締め紐２１Ｒの幅方向の端部を第１、第２の端部収容孔３７，４１内に位置させた状態で右側締め紐２１Ｒを引っ張る力を解除すると、右側締め紐２１Ｒが元の状態の厚さに戻ることにより、右側締め紐２１Ｒは第１、第２の係止スリット３５，３６内に係止され、さらに、右側締め紐２１Ｒを引っ張ると、第１、第２の端部収容孔３７，４１内で右側締め紐２１Ｒが円筒状に丸まり、第１、第２の端部収容孔３７，４１内に確実に係止されるので、右側締め紐２１Ｒに締め紐長さ調整具３１を取り付けることができ、図３に示すマスク１とすることができる。
【００３６】
この発明の締め紐長さ調整具３１の第１実施例によれば、導入スリット３４と第１、第２の係止スリット３５，３６とが連通しているので、右側締め紐２１Ｒをマスク本体１１に取り付けた後からでも、締め紐長さ調整具３１を右側締め紐２１Ｒに取り付けることができる。
そして、第１の係止スリット３５の先端に第１の端部収容孔３７が設けられ、第２の係止スリット３６の先端に第２の端部収容孔４１が設けられているので、右側締め紐２１Ｒが第１、第２の端部収容孔３７，４１内で円筒状に丸まり、第１、第２の端部収容孔３７，４１内に確実に係止される。
したがって、右側締め紐２１Ｒの長さを調整する際、右側締め紐２１Ｒを引っ張っても、右側締め紐２１Ｒが第１、第２の係止スリット３５，３６から抜け出にくくなる。
【００３７】
また、第１、第２の係止スリット３５，３６に連通する導入スリット３４の幅が広くなっているので、右側締め紐２１Ｒをコ字状スリット３３へ容易に挿入することができる。
また、第１の係止スリット３５と第２の係止スリット３６とが導入スリット３４から離れる方向へ窄んでいるので、右側締め紐２１Ｒの長さを調整する際、右側締め紐２１Ｒを引っ張ると、右側締め紐２１Ｒは第１、第２の端部収容孔３７，４１側へ移動し、通常、防塵マスクで使用される締め紐が、第１、第２の端部収容孔３７，４１内で丸まり（円筒状になり）、第１、第２の端部収容孔３７，４１から抜け出にくくなる。
【００３８】
また、第１の係止スリット３５の端（第１の端部収容孔３７と反対側）に第１の係止凹部３８を設け、第２の係止スリット３６の端（第２の端部収容孔４１と反対側）に第２の係止凹部４２を設けたので、右側締め紐２１Ｒの端部が第１、第２の係止凹部３８，４２に引っ掛かることにより、右側締め紐２１Ｒは第１、第２の係止スリット３５，３６から抜け出にくくなる。
【００３９】
また、第１の係止スリット３５の端（第１の端部収容孔３７と反対側）に第１の抜け防止部３９を設け、第２の係止スリット３６の端（第２の端部収容孔４１と反対側）に第２の抜け防止部４３を設けたので、右側締め紐２１Ｒが第１、第２の係止スリット３５，３６から抜け出るのを防止することができる。
また、第１、第２の円弧状突出部４０，４４を設けたので、締め紐長さ調整具３１の形状を認識でき、視野外で左側締め紐２１Ｌをフック片５２に容易に引っ掛けることができる。
【００４０】
さらに、視野外で右側締め紐２１Ｒの長さを調整する場合、第１、第２の円弧状突出部４０，４４によって各部分の位置を認識することができ、右側締め紐２１Ｒの長さ調整を容易に行うことができる。
また、フック片５２に抜け止め突出部５３を設けたので、左側締め紐２１Ｌが抜け止め突出部５３に引っ掛かることにより、左側締め紐２１Ｌがフック片５２から外れにくくなる。
【００４１】
次に、マスク１の装着の一例について、図３および図４を参照して説明する。
【００４２】
まず、マスク本体部１１を、鼻および口を被うように装着した後、左、右側締め紐２１Ｌ，２１Ｒを耳の上下を経由するように沿わせ、フック片５２を左側締め紐２１Ｌに引っ掛けることにより、図４に示すように、マスク１を、サイドフックタイプとして装着できる。
【００４３】
このようにしてマスク１を装着した状態で、左、右側締め紐２１Ｌ，２１Ｒの締め付け力が強かったり、弱い場合は、右側締め紐２１Ｒの２つ折りにした部分を引っ張って薄くし、締め紐長さ調整具３１を操作して右側締め紐２１Ｒに対して移動させ、右側締め紐２１Ｒの環状部分の長さを所望の長さに調整することにより、所望の締め付け力に調整する。
【００４４】
図６はこの発明のマスクの第２実施例を示す正面図、図７は図６に示したマスクの使用例を示す説明図であり、図１〜図５と同一部分または相当部分に同一符号を付し、その説明を省略する場合がある。
【００４５】
図６および図７に示すマスク１Ａは、カップ状に形成されたマスク本体部１１と、このマスク本体部１１に取り付けられた左、右側締め紐２１Ｌ，２１Ｒと、この左、右側締め紐２１Ｌ，２１Ｒに取り付けられた左、右側締め紐２１Ｌ，２１Ｒの長さを調整する締め紐長さ調整具３１とで構成されている。
【００４６】
次に、マスク１Ａの装着の一例について説明する。
【００４７】
まず、マスク本体部１１を、鼻および口を被うように装着した後、左、右側締め紐２１Ｌ，２１Ｒを耳の上下を経由するように沿わせ、フック片５２同士を引っ掛けることにより、図７に示すように、マスク１Ａを、サイドフックタイプとして装着できる。
【００４８】
このようにしてマスク１Ａを装着した状態で、左、右側締め紐２１Ｌ，２１Ｒの締め付け力が強かったり、弱い場合は、左側締め紐２１Ｌおよび／または右側締め紐２１Ｒの２つ折りにした部分を引っ張って薄くし、締め紐長さ調整具３１を操作して左側締め紐２１Ｌおよび／または右側締め紐２１Ｒに対して移動させ、左側締め紐２１Ｌおよび／または右側締め紐２１Ｒの環状部分の長さを所望の長さに調整することにより、所望の締め付け力に調整する。
【００４９】
図８はこの発明のマスクの第３実施例を示す正面図、図９は図８に示したマスクの使用例を示す説明図であり、図１〜図７と同一部分または相当部分に同一符号を付し、その説明を省略する場合がある。
【００５０】
図８および図９に示すマスク１Ｂは、カップ状に形成されたマスク本体部１１と、このマスク本体部１１に取り付けられた上、下側締め紐２１Ｕ，２１Ｄと、この上、下側締め紐２１Ｕ，２１Ｄに取り付けられた上、下側締め紐２１Ｕ，２１Ｄの長さを調整する締め紐長さ調整具３１とで構成されている。
【００５１】
上記した上、下側締め紐２１Ｕ，２１Ｄは、弾性を有するゴムバンドなどで構成され、所定の長さと、所定の厚さと、所定の幅とを有している。
そして、上側締め紐２１Ｕは、マスク本体部１１の左端上側外面に一端（左端）が溶着などによって取り付けられ、マスク本体部１１の右端上側外面に他端（右端）が溶着などによって取り付けられている。
また、下側締め紐２１Ｄは、マスク本体部１１の左端下側外面に一端（左端）が溶着などによって取り付けられ、マスク本体部１１の右端下側外面に他端（右端）が溶着などによって取り付けられている。
【００５２】
次に、マスク１Ｂの装着の一例について説明する。
【００５３】
まず、マスク本体部１１の下側に位置する下側締め紐２１Ｄに頭部を挿入し、マスク本体部１１を、鼻および口を被うように装着した後、下側締め紐２１Ｄを頭部の後方下部に沿わせる。
【００５４】
そして、マスク本体部１１の上側に位置する上側締め紐２１Ｕを頭部の後方上部に沿わせることにより、図９に示すように、マスク１を、２本紐オーバーヘッドタイプとして装着できる。
【００５５】
このようにしてマスク１Ｂを装着した状態で、上、下側締め紐２１Ｕ，２１Ｄの締め付け力が強かったり、弱い場合は、上、下側締め紐２１Ｕ，２１Ｄの２つ折りにした部分を引っ張って薄くし、締め紐長さ調整具３１を操作して上、下側締め紐２１Ｕ，２１Ｄに対して移動させ、上、下側締め紐２１Ｕ，２１Ｄの環状部分の長さを所望の長さに調整することにより、所望の締め付け力に調整する。
【００５６】
図１０はこの発明のマスクの第４実施例を示す正面図、図１１は図１０に示したマスクの使用例を示す説明図であり、図１〜図９と同一または相当部分に同一符号を付し、その説明を省略する場合がある。
【００５７】
図１０および図１１に示すマスク１Ｃは、カップ状に形成されたマスク本体部１１と、このマスク本体部１１に取り付けられた左、右側締め紐２１Ｌ，２１Ｒと、この左、右側締め紐２１Ｌ，２１Ｒに取り付けられた左、右側締め紐２１Ｌ，２１Ｒの長さを調整する締め紐長さ調整具３１とで構成されている。
【００５８】
次に、マスク１Ｃの装着の一例について説明する。
【００５９】
まず、マスク本体部１１を、鼻および口を被うように装着した後、マスク本体部１１の左側に位置する左側締め紐２１Ｌに左側の耳にかけ、右側締め紐２１Ｒを右側の耳にかけることにより、図１１に示すように、マスク１Ｃを耳かけタイプとして装着できる。
【００６０】
このようにしてマスク１Ｃを装着した状態で、左、右側締め紐２１Ｌ，２１Ｒの締め付け力が強かったり、弱い場合は、左、右側締め紐２１Ｌ，２１Ｒの２つ折りにした部分を引っ張って薄くし、締め紐長さ調整具３１を操作して左、右側締め紐２１Ｌ，２１Ｒに対して移動させ、左、右側締め紐２１Ｌ，２１Ｒの環状部分の長さを所望の長さに調整することにより、所望の締め付け力に調整する。
【００６１】
図１２はこの発明のマスクの第５実施例を示す正面図、図１３は図１２に示したマスクの使用例を示す説明図であり、図１〜図１１と同一部分または相当部分に同一符号を付し、その説明を省略する場合がある。
【００６２】
図１２および図１３に示すマスク１Ｄは、カップ状に形成されたマスク本体部１１と、このマスク本体部１１に取り付けられた締め紐２１と、この締め紐２１に取り付けられた締め紐２１の長さを調整する締め紐長さ調整具３１とで構成されている。
【００６３】
上記した締め紐２１は、弾性を有するゴムバンドなどで構成され、所定の長さと、所定の厚さと、所定の幅とを有している。
そして、締め紐２１は、マスク本体部１１の左右端部に上下に沿わせ、マスク本体部１１の左右端部を折り返して溶着することによって形成された孔内に、上下動可能に収容されて取り付けられている。
そして、締め紐２１の両端に締め紐長さ調整具３１が取り付けられている。
なお、図１２では締め紐長さ調整具３１をマスク本体部１１の下側に配置させているが、締め紐長さ調整具３１をマスク本体部１１の上側に配置してもよい。
【００６４】
次に、マスク１Ｄの装着の一例について説明する。
【００６５】
まず、マスク本体部１１の下側に位置する締め紐２１の部分に頭部を挿入し、マスク本体部１１を、鼻および口を被うように装着した後、マスク本体部１１の下側に位置する締め紐２１の部分を頭部の後方下部に沿わせる。
【００６６】
そして、マスク本体部１１の上側に位置する締め紐２１の部分を引き上げて頭部の後方上部に沿わせることにより、図１３に示すように、マスク１Ｄを、１本紐オーバーヘッドタイプとして装着できる。
【００６７】
このようにしてマスク１Ｄを装着した状態で、締め紐２１の締め付け力が強かったり、弱い場合は、締め紐２１の端部を引っ張って薄くし、締め紐長さ調整具３１を操作して締め紐２１に対して移動させ、締め紐２１の環状部分の長さを所望の長さに調整することにより、所望の締め付け力に調整する。
【００６８】
図１４はこの発明の締め紐長さ調整具の第２実施例を示す斜視図であり、図１〜図１３と同一部分または相当部分に同一符号を付し、その説明を省略する場合がある。
【００６９】
この発明の締め紐長さ調整具３１Ａは、装着者がマスクを装着するときに使用する締め紐の長さを調整するもので、所定の強度を有するプラスチック（樹脂）、例えば、ポリプロピレンで、正面視縦長の略長方形形状をした板状に成形された本体部３２と、この本体部３２の上側に、本体部３２と一体的に板状に成形されたフック部５１Ａとによって構成されている。
【００７０】
上記したフック部５１Ａは、導入スリット３４に対して第１の係止スリット３５および第２の係止スリット３６から離れる方向へＪ字状に延びたフック片５２Ａで構成されている。
このフック片５２Ａの先端は、本体部３２との間にほとんど隙間を形成しない位置まで延び、フック片５２Ａの先端の内側には、締め紐がフック片５２Ａから抜け出るのを防止するために抜け止め突出部５３が設けられている。
そして、フック片５２Ａの先端は、円弧状の丸みを持たせた形状とされている。
【００７１】
この締め紐長さ調整具３１Ａは、フック片５２Ａを撓ませて本体部３２とフック片５２Ａとの間に締め紐を通す（通過させる）隙間を形成することにより、締め紐をフック部５１Ａに係止させたり、フック部５１Ａから締め紐を取り外すことができる。
【００７２】
この締め紐長さ調整具３１Ａによれば、第１実施例の締め紐長さ調整具３１と同様な効果を得ることができる。
そして、フック片５２Ａの先端が本体部３２とわずかな隙間を形成する位置まで延びているので、締め紐に締め紐長さ調整具３１Ａを取り付けたマスクを梱包するために重ねても、締め紐がフック片５２Ａ内へ入って絡まることがないため、マスクの取り扱いが行い易くなる。
【００７３】
この締め紐長さ調整具３１Ａも、第１実施例〜第５実施例のマスク１〜１Ｄに用いた（利用した）締め紐長さ調整具３１と同様に用いることができる。
【００７４】
図１５はこの発明の締め紐長さ調整具の第３実施例を示す斜視図であり、図１〜図１４と同一部分または相当部分に同一符号を付し、その説明を省略する場合がある。
【００７５】
この発明の締め紐長さ調整具３１Ｂは、装着者がマスクを装着するときに使用する締め紐の長さを調整するもので、所定の強度を有するプラスチック（樹脂）、例えば、ポリプロピレンで、正面視縦長の略長方形形状をした板状に成形された本体部３２と、この本体部３２の上側に、本体部３２と一体的に板状に成形されたフック部５１Ｂとによって構成されている。
【００７６】
上記したフック部５１Ｂは、導入スリット３４に対して第１の係止スリット３５および第２の係止スリット３６から離れる方向へＪ字状に延びたフック片５２と、このフック片５２の開放部分を閉塞する突出片５４とを備えている。
そして、突出片５４の先端を円弧状の丸みを持たせた形状とすることにより、フック片５２と突出片５４との間の外側と内側とに、締め紐を案内するガイド部５５，５６が形成される。
また、フック片５２の先端と突出片５４の先端との間には、ほとんど隙間がない状態となっている。
なお、フック片５２を撓ませて突出片５４との間に締め紐を通す（通過させる）隙間を形成し易くするため、フック片５２の折り返し部分の長さと、突出片５４の長さとは、例えば、１：１〜１０、好ましく１：２．５の比とされている。
【００７７】
この締め紐長さ調整具３１Ｂによれば、第２実施例の締め紐長さ調整具３１Ａと同様な効果を得ることができる。
そして、フック部５１Ｂにガイド部５５，５６を設けたので、締め紐の出し入れを容易に行うことができる。
【００７８】
この締め紐長さ調整具３１Ｂも、第１実施例〜第５実施例のマスク１〜１Ｄに用いた（利用した）締め紐長さ調整具３１と同様に用いることができる。
【００７９】
図１６はこの発明の締め紐長さ調整具の第４実施例を示す分解斜視図、図１７（ａ）は図１６に示した第１のマスクの締め紐長さ調整具の正面図、図１７（ｂ）は図１７（ａ）のＢ−Ｂ線による断面図、図１７（ｃ）は図１６に示した第１のマスクの締め紐長さ調整具の平面図、図１８（ａ）は図１６に示した第２のマスクの締め紐長さ調整具の正面図、図１８（ｂ）は図１８（ａ）のＢ−Ｂ線による断面図、図１８（ｃ）は図１６に示した第２のマスクの締め紐長さ調整具の平面図、図１９は図１６に示した第１、第２のマスクの締め紐長さ調整具を結合させた状態の斜視図であり、図１〜図１５と同一部分または相当部分に同一符号を付し、その説明を省略する場合がある。
【００８０】
この発明の締め紐長さ調整具３１Ｃは、装着者がマスクを装着するときに使用する締め紐の長さを調整するもので、第１の締め紐長さ調整具３１Ｄと、第２の締め紐長さ調整具３１Ｅとによって構成されている。
【００８１】
上記した第１の締め紐長さ調整具３１Ｄは、所定の強度を有するプラスチック（樹脂）、例えば、ポリプロピレンで、正面視縦長の略長方形形状をした板状に成形された本体部３２Ａと、この本体部３２Ａに設けられた係合部としての２つの突起６１とによって構成されている。
なお、本体部３２Ａは、長方形形状だけでなく、楕円形形状や円形形状であってもよい。
【００８２】
この本体部３２Ａには、コ字状スリット３３Ａ、第１の端部収容孔３７、第１の係止凹部３８、第１の抜け防止部３９、第１の円弧状突出部４０、第２の端部収容孔４１、第２の係止凹部４２、第２の抜け防止部４３、第２の円弧状突出部４４などが設けられている。
【００８３】
上記したコ字状スリット３３Ａは、横方向（図１７（ａ）における左右方向）へ延び、上側へ円弧状に突出した導入スリット３４Ａと、この導入スリット３４Ａの一端（例えば、左端）から下側へ延びた第１の係止スリット３５と、導入スリット３４Ａの他端（右端）から下側へ、第１の係止スリット３５と同じ長さで延びた第２の係止スリット３６とで構成されている。
【００８４】
上記した導入スリット３４Ａは、舌片部４７Ａを撓ませることにより、二重（２つ）折りにした締め紐を挿入できる長さ、幅とした大きさで設けられている。
【００８５】
上記した本体部３２Ａは、成形時のひけや、補強を兼ねるとともに、成形材料を少なくするため、両主表面に肉抜き部が設けられるように、両主表面の周縁に環状の外周補強リブ４５が設けられるとともに、両主表面のコ字状スリット３３Ａ、第１、第２の端部収容孔３７，４１、第１、第２の係止凹部３８，４２および第１、第２の抜け防止部３９，４３を囲む環状の内周補強リブ４６が設けられている。
【００８６】
なお、コ字状スリット３３Ａで囲まれた部分が、舌片部４７Ａを構成している。
この舌片部４７Ａの長さ（図１７（ａ）における上下方向の長さ）は、第１実施例〜第３実施例の締め紐長さ調整具３１，３１Ａ，３１Ｂの舌片部４７の長さよりも長くされ、撓めたときに、先端と本体部３２Ａとの間に隙間を発生させ易くして、締め紐を通し易くしている。
【００８７】
上記した２つの突起６１は、導入スリット３４Ａに対して第１の係止スリット３５および第２の係止スリット３６と反対側に、本体部３２Ａに直立させて設けられている。
【００８８】
上記した第２の締め紐長さ調整具３１Ｅは、所定の強度を有するプラスチック（樹脂）、例えば、ポリプロピレンで、正面視縦長の略長方形形状をした板状に成形された本体部３２Ａと、この本体部３２Ａに設けられた被係合部６２とによって構成されている。
【００８９】
上記した被係合部６２は、突起６１が圧入される円形の係止孔６３と、この係止孔６３を変形可能とする、係止孔６３に直径方向に設けたスリット６４とによって構成され、導入スリット３４Ａに対して第１の係止スリット３５および第２の係止スリット３６と反対側に、突起６１に対応させて設けられている。
【００９０】
この締め紐長さ調整具３１Ｃは、第１の締め紐長さ調整具３１Ｄの突起６１を第２の締め紐長さ調整具３１Ｅの係止孔６３へ圧入させて係合させることにより、図１９に示すように、一体に結合させることができる。
このように、第１の締め紐長さ調整具３１Ｄと第２の締め紐長さ調整具３１Ｅとを結合させた状態においても、舌片部４７Ａは撓ませることができるようになっている。
【００９１】
この締め紐長さ調整具３１Ｃによれば、第１実施例の締め紐長さ調整具３１と同様な効果を得ることができる。
【００９２】
この締め紐長さ調整具３１Ｃは、第２実施例のマスク１Ａに用いた（利用した）締め紐長さ調整具３１と同様に用いることができる。
また、第１の締め紐長さ調整具３１Ｄ（または、第２の締め紐長さ調整具３１Ｅ）は、単独で、第３実施例〜第５実施例のマスク１Ｂ〜１Ｄに用いた（利用した）締め紐長さ調整具３１と同様に用いることができる。
【００９３】
上記した実施例において、マスク本体１１に弁を設けたマスクであってもよい。
また、本体部３２，３２Ａの外形を長方形とした例を示したが、本体部は他の形状、例えば、楕円形、円形などであってもよい。
また、第１、第２の円弧状突出部４０，４４を設けたが、どちらか一方の円弧状突出部のみ、例えば、第１の円弧状突出部４０のみであっても、同様に機能し、同様な効果を得ることができる。
また、係合部と被係合部とを２つ設けた例を示したが、係合部と被係合部とは１つであっても、３つ以上であってもよい。
また、係合部を突起とし、被係合部を係止孔、スリットとした例を示したが、第１の締め紐長さ調整具を第２の締め紐長さ調整具に係合させることができれば、他の構成の着脱可能な結合部（係合部と被係合部）であってもよい。
また、２つの本体部３２に第４実施例の着脱可能な結合部の一方を設けたり、本体部３２Ａに第１実施例〜第３実施例のフック部５１，５１Ａ，５１Ｂを設けても、同様な効果を得ることができる。
【符号の説明】
【００９４】
１，１Ａ〜１Ｄ        マスク
１１                  マスク本体部
２１                  締め紐
２１Ｌ                左側締め紐
２１Ｒ                右側締め紐
２１Ｕ                上側締め紐
２１Ｄ                下側締め紐
３１，３１Ａ〜３１Ｃ  締め紐長さ調整具
３１Ｄ                第１の締め紐長さ調整具
３１Ｅ                第２の締め紐長さ調整具
３２，３２Ａ          本体部
３３，３３Ａ          コ字状スリット
３４，３４Ａ          導入スリット
３５                  第１の係止スリット
３６                  第２の係止スリット
３７                  第１の端部収容孔
３８                  第１の係止凹部
３９                  第１の抜け防止部
４０                  第１の円弧状突出部
４１                  第２の端部収容孔
４２                  第２の係止凹部
４３                  第２の抜け防止部
４４                  第２の円弧状突出部
４５                  外周補強リブ
４６                  内周補強リブ
４７，４７Ａ          舌片部
５１，５１Ａ，５１Ｂ  フック部
５２，５２Ａ          フック片
５３                  抜け止め突出部
５４                  突出片
５５，５６            ガイド部
６１                  突起（係合部）
６２                  被係合部
６３                  係止孔
６４                  スリット
【図１】
2012016516.tif 000003
【図２】
2012016516.tif 000004
【図３】
2012016516.tif 000005
【図４】
2012016516.tif 000006
【図５】
2012016516.tif 000007
【図６】
2012016516.tif 000008
【図７】
2012016516.tif 000009
【図８】
2012016516.tif 000010
【図９】
2012016516.tif 000011
【図１０】
2012016516.tif 000012
【図１１】
2012016516.tif 000013
【図１２】
2012016516.tif 000014
【図１３】
2012016516.tif 000015
【図１４】
2012016516.tif 000016
【図１５】
2012016516.tif 000017
【図１６】
2012016516.tif 000018
【図１７】
2012016516.tif 000019
【図１８】
2012016516.tif 000020
【図１９】
2012016516.tif 000021